(57)【要約】【課題】  オイルポンプ用のチェーンやスプロケットによるオイルの攪拌によって生じるオイルの泡立ちを防止できる内燃機関のオイル通路構造を提供する。【解決手段】  オイルポンプ１５をオイルパン５の上方に配置し、オイルポンプ１５を駆動するチェーン１２が巻装されたスプロケット１３の周囲を囲むように、オイルポンプハウジングカバー１６からリブ１７を設け、このリブ１７の下部に、オイルパン５内に連通するオイル通路２０を形成させて構成する。【選択図】  図１
2006063925.tif 000002
【特許請求の範囲】
【請求項１】
内燃機関の最下部に取り付けられるオイルパンと、該オイルパンと結合するクランクケースと、前記クランクケースの内部に取り付けられるオイルポンプと、該オイルポンプを覆蓋するハウジングカバーと、前記オイルポンプを駆動するチェーンが巻装されたスプロケットを有し、前記チェーンとスプロケットが巻装する部位を略コの字状に覆うリブを前記ハウジングカバーに一体に形成するとともに、該リブと前記クランクケースから外方へ延出された延出部間によりオイル通路を形成したことを特徴とする内燃機関のオイル通路構造。
【請求項２】
内燃機関の最下部に取り付けられるオイルパンと、該オイルパンと結合するクランクケースと、前記クランクケースの内部に取り付けられるオイルポンプと、前記クランクケースを覆蓋するカバーと、前記オイルポンプを駆動するチェーンが巻装されたスプロケットを有し、前記チェーンとスプロケットが巻装する部位を略コの字状に覆うリブを前記カバーに一体に形成するとともに、該リブと前記クランクケースから外方へ延出された延出部間によりオイル通路を形成したことを特徴とする内燃機関のオイル通路構造。
【発明の詳細な説明】
【技術分野】
【０００１】
本発明は、内燃機関のオイル通路構造に関するものである。
【背景技術】
【０００２】
内燃機関において、クランクシャフトに固定されたクランクスプロケットに、タイミングチェーンと、オイルポンプチェーンが掛装され、このオイルポンプチェーンによりオイルポンプスプロケットを介してオイルポンプが駆動されて、オイルパン内のオイルを内燃機関の各部に供給しており、シリンダヘッドの動弁駆動装置等を潤滑したオイルは、タイミングチェーンのカバー内を落下してオイルパンに戻されるように構成されている。
【０００３】
このような内燃機関において、例えば特許文献１に開示されているように、オイルポンプスプロケットの回転によってオイルパンに貯留されるオイルが泡立つことを防ぐために、オイルポンプ及びオイルポンプスプロケットをオイルパン内のオイル中に配置するとともに、オイルポンプスプロケットの近傍に、オイルポンプスプロケット及びオイルポンプチェーンの一部を包囲する略Ｕ字状のカバー部を設け、このカバー部により、オイルポンプチェーンがオイルパン内のオイルを攪拌することにより生じる気泡が、オイル中に拡散してしまうことを防止する技術が存在する。
【０００４】
しかしながら、オイルポンプスプロケットの上方は、カバーにより包囲できないため、タイミングチェーンカバー内を落下してくるオイルが、カバー内に入ってしまい、スプロケットがオイル中で回転するため回転抵抗が大となり、内燃機関の正味出力を低下させてしまう。また、オイルポンプスプロケット及びオイルポンプチェーンがカバー内のオイルを攪拌し、飛散させるため、気泡をオイル中に混入させてしまい、潤滑性能が悪化したり、油圧装置の動作が不安定となってしまうといった問題点がある。
【０００５】
そこで、オイルポンプをオイルパン内ではなく、オイルパン外部のクランクケース等に配置することにより、オイルポンプスプロケットとオイルポンプチェーンとによるオイルパン内のオイルが攪拌されることにより生じるオイルへの気泡の混入を防止する技術がある。
【特許文献１】特開平６−２８０５３３号公報
【発明の開示】
【発明が解決しようとする課題】
【０００６】
しかしながら、オイルポンプをオイルパン外部に配置した場合、タイミングチェーンのカバー内を落下したオイルが、下方のオイルポンプスプロケットとオイルポンプチェーンに当たって飛散し、オイル内に気泡を生じさせてしまう（エアレーションが発生してしまう）ため、オイルパン内のオイルに気泡を含んだオイルが混入されてしまい、内燃機関の潤滑性能が低下する他、オイルポンプの揚程能力を上げる必要が生じ、大型のオイルポンプを用いなければならない等の問題点があった。
そこで、このような配置においても、オイルポンプスプロケットの一部を包囲する略Ｕ字状のカバー部を設けることも考えられるが、このカバー部では、カバー部内の下部に溜まったオイルを、オイルポンプスプロケットとオイルポンプチェーンにより攪拌してしまうため、オイル内に空気が混入してしまうという問題点があった。
【課題を解決するための手段】
【０００７】
本発明は上記従来の問題点に鑑み案出したものであって、オイルポンプチェーンやオイルポンプスプロケットによるオイルの飛散によってオイルへ気泡が生じることを防止することを目的の１つとし、その請求項１は、内燃機関の最下部に取り付けられるオイルパンと、該オイルパンと結合するクランクケースと、前記クランクケースの内部に取り付けられるオイルポンプと、該オイルポンプを覆蓋するハウジングカバーと、前記オイルポンプを駆動するチェーンが巻装されたスプロケットを有し、前記チェーンとスプロケットが巻装する部位を略コの字状に覆うリブを前記ハウジングカバーに一体に形成するとともに、該リブと前記クランクケースから外方へ延出された延出部間によりオイル通路を形成したことである。
【０００８】
また請求項２は、内燃機関の最下部に取り付けられるオイルパンと、該オイルパンと結合するクランクケースと、前記クランクケースの内部に取り付けられるオイルポンプと、前記クランクケースを覆蓋するカバーと、前記オイルポンプを駆動するチェーンが巻装されたスプロケットを有し、前記チェーンとスプロケットが巻装する部位を略コの字状に覆うリブを前記カバーに一体に形成するとともに、該リブと前記クランクケースから外方へ延出された延出部間によりオイル通路を形成したことである。
【発明の効果】
【０００９】
本発明の内燃機関のオイル通路は、内燃機関の最下部に取り付けられるオイルパンと、オイルパンと結合するクランクケースと、クランクケースの内部に取り付けられるオイルポンプと、オイルポンプを覆蓋するハウジングカバーと、オイルポンプを駆動するチェーンが巻装されたスプロケットを有し、チェーンとスプロケットが巻装する部位を略コの字状に覆うリブをハウジングカバーに一体に形成するとともに、リブとクランクケースから外方へ延出された延出部間によりオイル通路を形成したことにより、タイミングチェーンのカバー内を落下したオイルを良好にオイルパンに戻すことができ、オイルポンプチェーンとオイルポンプスプロケットが巻装する部位を略コの字状に覆うよう形成したリブにより、オイルポンプスプロケットやオイルポンプチェーンにオイルが当たらないようにすることができ、チェーンやスプロケットによるオイルの飛散によってオイルに気泡が生じることを良好に防止できるものとなる。
また、オイルポンプを、オイルパンに溜められるオイルの上面近傍に配置することができて、揚程を小さくできるため、オイルポンプを大型化する必要がなくなる。
【００１０】
また、内燃機関の最下部に取り付けられるオイルパンと、オイルパンと結合するクランクケースと、クランクケースの内部に取り付けられるオイルポンプと、クランクケースを覆蓋するカバーと、オイルポンプを駆動するチェーンが巻装されたスプロケットを有し、チェーンとスプロケットが巻装する部位を略コの字状に覆うリブをカバーに一体に形成するとともに、リブとクランクケースから外方へ延出された延出部間によりオイル通路を形成したことにより、カバーに設けたリブでオイルポンプチェーンとオイルポンプスプロケットが巻装する部位を略コの字状に覆い、タイミングチェーンのカバー内を落下したオイルがチェーンやスプロケットにかからないようにでき、チェーンやスプロケットによるオイルの飛散によって生じるオイルへの気泡の混入を良好に防止できるものとなる。
また、タイミングチェーンのカバー内を落下したオイルを、リブとクランクケースの延出部間に形成したオイル通路を通して良好にオイルパン内に戻すことができるものとなる。
【実施例】
【００１１】
以下、本発明の実施例を図面に基づいて説明する。
図１は、内燃機関のタイミングチェーンを覆蓋するカバーを取り外した状態の概略構成図であり、内燃機関１は、シリンダブロック２の上部にシリンダヘッド３が設けられ、シリンダブロック２の下方には、クランクケースハウジング４が設けられ、シリンダブロック２とクランクケースハウジング４によりクランクケースを構成しており、クランクケースハウジング４の下部に、オイルを溜めるオイルパン５が連結されている。
【００１２】
シリンダヘッド３内に配置されるカムのカムスプロケット６，６には、タイミングチェーン７が巻装されており、タイミングチェーン７はチェーンガイド８，８及びチェーンテンショナー９を介在させて、クランクケース内に設けられたクランクシャフト１０のクランクスプロケット１１に巻き掛けられており、また、このクランクスプロケット１１には、オイルポンプチェーン１２が巻装されて、オイルポンプチェーン１２は、オイルポンプを駆動するオイルポンプスプロケット１３に掛装されている。
【００１３】
図２の要部縦断面拡大構成図（図１のＡーＡ線断面）で示すように、オイルポンプ本体１５は、クランクケースハウジング４の側面側のオイルパン５の上方に取り付けられており、このオイルポンプ本体１５は、オイルポンプハウジングカバー１６で覆蓋され、オイルポンプハウジングカバー１６には、オイルポンプスプロケット１３の周囲を囲むようにして、リブ１７がチェーンカバー１８側に突出して一体に形成されている。
チェーンカバー１８は、タイミングチェーン７及びオイルポンプチェーン１２を覆蓋するものであり、このチェーンカバー１８は、クランクケースハウジング４の側面に外方へ延出状に一体形成された延出部４ｂの外端に覆設されている。
【００１４】
即ち、クランクケースハウジングの延出部４ｂは、オイルポンプハウジングカバー１６の側面及び下面側に外方へ突出して形成されており、下端側の延出部４ｂはクランクケースハウジング４に設けられたバッフルプレート４ａよりも下方に位置して、図２に示すように、オイルパン５内に溜められるオイルＯの上面に向かって、チェーンカバー１８側から内側に向かって下傾状に形成されている。
このクランクケースハウジングの延出部４ｂと前記リブ１７の下面間に、横方向に横オイル通路２０が形成されており、この横オイル通路２０は、その下端がオイルパン５側へ開口された開口部２０ａに連通しており、また図１に示すように、クランクケースハウジングの延出部４ｂとリブ１７の側面間に形成された縦オイル通路１９に連通している。
なお、図中２１は、オイルパン５内に配置されたオイルストレーナーである。また、図中１４は、オイルポンプチェーン１２用のチェーンテンショナーである。
【００１５】
このように、オイルポンプ本体１５及びオイルポンプハウジングカバー１６は、オイルパン５の上方、即ちオイルパン５の外側のクランクケースハウジング４の内面に配置されており、オイルポンプハウジングカバー１６には、オイルポンプチェーン１２とオイルポンプスプロケット１３が巻装する部位を略コの字状に覆うリブ１７が形成されて、このリブ１７とクランクケースハウジング４の延出部４ｂ間には、縦オイル通路１９と横オイル通路２０が形成されている。
タイミングチェーン７のチェーンカバー１８内を落下したオイルは、この縦オイル通路１９及び横オイル通路２０を通り、開口部２０ａから良好にオイルパン５内に戻されるように構成されており、落下するオイルはリブ１７に邪魔されて、オイルポンプチェーン１２及びオイルポンプスプロケット１３には当たることがなく、そのため、オイルポンプチェーン１２，オイルポンプスプロケット１３の回転によるオイルの飛散は無く、オイルへ気泡が生じることが良好に防止されるものとなる。
【００１６】
また、オイルポンプ本体１５及びオイルポンプハウジングカバー１６は、オイルパン５内に溜められるオイルＯの上面に近い位置に配置することにより、揚程を小さくできるため、オイルポンプ本体１５の揚程能力を上げる必要がなく、オイルポンプ本体１５を大型化する必要がなく、オイルポンプ本体１５を従来のオイルパン内に設けた小型のもので十分対応できるものとなる。
【００１７】
なお、本例では、オイルポンプスプロケット１３の周囲を囲むリブ１７は、オイルポンプハウジングカバー１６に一体形成されており、リブ１７の下部には、一部に上下に貫通する開口１７ａが形成されて、リブ１７の内側に入ったオイルを良好に下方へ流下させることができるように構成されている。
【００１８】
次に、図３は変更例を示すものであり、図３では、オイルポンプチェーン１２及びオイルポンプスプロケット１３の外側に被せられて、これらを覆蓋するチェーンカバー１８の内側に、オイルポンプハウジングカバー１６側に向かってリブ１７を形成させたものであり、このリブ１７はオイルポンプチェーン１２とオイルポンプスプロケット１３が巻装する部位を略コの字状に覆うように形成されており、このリブ１７で、オイルポンプチェーン１２及びオイルポンプスプロケット１３へのオイルの当たりを防ぐことができるように構成されており、オイルポンプチェーン１２やオイルポンプスプロケット１３によるオイルの飛散によってオイルへ気泡が生じることを防止できるように構成されている。
【００１９】
また、下部のリブ１７とその下方のクランクケースハウジングの延出部４ｂ間には、横オイル通路２０がオイルパン５側に向かって下傾状に形成されており、良好にオイルを縦オイル通路１９，横オイル通路２０を通し、オイルパン５内に戻すことができるように構成されている。
【００２０】
本発明は、こうした実施例の他に、例えば、クランクケースハウジングとシリンダブロックを一体としてクランクケースを構成した内燃機関のオイル通路構造など、本発明の要旨を逸脱しない範囲内において、種々なる形態で実施し得ることは勿論である。
【図面の簡単な説明】
【００２１】
【図１】内燃機関のチェーンカバーを外した状態の側面概略構成図である。
【図２】オイルポンプの取付状態を示す要部縦断面拡大構成図（図１のＡーＡ線断面図）である。
【図３】リブの変形例を示す図２に対応させた要部縦断面拡大構成図である。
【符号の説明】
【００２２】
１  内燃機関
２  シリンダブロック
４  クランクケースハウジング
４ａ  バッフルプレート
４ｂ  延出部
５  オイルパン
７  タイミングチェーン
１１  クランクスプロケット
１２  オイルポンプチェーン
１３  オイルポンプスプロケット
１５  オイルポンプ本体
１６  オイルポンプハウジングカバー
１７  リブ
１８  チェーンカバー
１９  縦オイル通路
２０  横オイル通路
２０ａ  開口部
【図１】
2006063925.tif 000003
【図２】
2006063925.tif 000004
【図３】
2006063925.tif 000005